(57)【要約】【課題】用紙サイズを正確に検出するとともに、設置するセンサ数を減らすことのできる手差しトレイユニットを提供する。【解決手段】手差しトレイユニット２は、本体トレイ８と、本体トレイ８に対し折り畳み可能に装着された補助トレイ１２とを有する。補助トレイ１２には、用紙が載置されたことを検出するセンサ３０ｃ，３０ｄが設けてある。補助トレイが本体ユニットに対し折り畳まれた状態で、開き位置１２ｂで上流側に位置するセンサ３０ｄは、突起部分３２が本体トレイの収納部２４の底面４０に接触して常にオンになるとともに、開き位置１２ｂで下流側に位置するセンサ３０ｃは、突起部分が収納部底面４０に設けた窪み４２内に収容され常にオフになる。センサ３０ｃ、３０ｄからのオン／オフ信号にもとづいて、補助トレイ１２が開き位置１２ｂにあるか折り畳み位置にあるかを判別でき、補助トレイ１２の位置を検出するための専用のセンサを省略できる。【選択図】図３
2004231410.tif 000002
【特許請求の範囲】
【請求項１】
画像形成装置に用紙を供給する給紙装置の手差しトレイユニットにおいて、
本体トレイと、
本体トレイに対し折り畳み可能または引出し可能に装着された補助トレイと、
用紙が載置されたことを検出する第１および第２の検出手段とを備え、
前記第１および第２の検出手段は、給紙方向に沿って順に配置され、
補助トレイが本体ユニットに対し折り畳まれた状態または収納された状態で、開き位置または引出し位置で上流側に位置する第１の検出手段を検出状態にするとともに下流側に位置する第２の検出手段を未検出状態にすることを特徴とする手差しトレイユニット。
【請求項２】
補助トレイは、本体トレイに設けた凹状収納部内に折り畳み可能に構成されており、
第１および第２の検出手段は、補助トレイに設けられ、
第１および第２の検出手段はまた、補助トレイの用紙載置面から出没可能な突起部分を有し、この突起部分が補助トレイ内部に押し込まれると、検出状態となるようになっており、
補助トレイが折り畳まれた状態で、第１の検出手段の突起部分は、本体トレイの収納部底面に接触するとともに、第２の検出手段の突起部分は、該収納部底面に形成された窪み内に収容されることを特徴とする請求項１の手差しトレイユニット。
【請求項３】
本体トレイに、用紙が載置されたことを検出する第３の検出手段をさらに設けたことを特徴とする請求項１または２の手差しトレイユニット。
【請求項４】
画像形成装置に用紙を供給する給紙装置の手差しトレイユニットにおいて、
本体トレイと、
本体トレイに対し折り畳み可能または引出し可能に装着された補助トレイと、
用紙が載置されたことを検出する第１および第２の検出手段とを備え、
前記第１および第２の検出手段は、給紙方向に直交する幅方向に沿って順に配置され、
補助トレイが本体ユニットに対し折り畳まれた状態または収納された状態で、補助トレイ外側に位置する第１の検出手段を検出状態にするとともに補助トレイ内側に位置する第２の検出手段を未検出状態にすることを特徴とする手差しトレイユニット。
【請求項５】
画像形成装置に用紙を供給する給紙装置の手差しトレイユニットにおいて、
本体トレイと、
本体トレイに対し第１の位置と第２の位置にセット可能なように、本体トレイに装着された補助トレイと、
用紙が載置されたことを検出する第１および第２の検出手段とを備え、
第１および第２の検出手段は、補助トレイが第１の位置にセットされた状態で、第２の位置で用紙を載置した場合には出力しない信号を出力するように構成されていることを特徴とする手差しトレイユニット。
【発明の詳細な説明】
【０００１】
【発明の属する技術分野】
本発明は、複写機、プリンタあるいはこれらの複合機などの画像形成装置に用紙を供給する給紙装置の手差しトレイユニットに関する。
【０００２】
【従来の技術】
従来、複写機などの画像形成装置の手差しトレイにおいて、各種用紙サイズに対応するために、本体トレイに対し折り畳み可能に装着された補助トレイを備えたものが知られている（例えば、特許文献１参照。）。また、本体トレイに対し補助トレイを引出し可能に装着した構成が知られている（例えば、特許文献２参照。）。
【０００３】
【特許文献１】
特開平５−３１９６３５号公報
【特許文献２】
特開平９−１８８４４３号公報
【０００４】
【発明が解決しようとする課題】
前者の手差しトレイでは、例えばＡ３縦（用紙の長尺方向が給紙方向に平行）とＡ４横（用紙の長尺方向が給紙方向に直交）サイズの同じ幅の用紙に対して、補助トレイを広げた状態ではＡ３縦のラベル、折り畳んだ状態ではＡ４横のラベルをトレイ上に表示させることで、ユーザに視覚により明確に用紙サイズを認識させるようになっている。また、補助トレイが折り畳まれた状態にあるか否かを検出する開閉センサが設けてある。したがって、画像形成装置は、開閉センサからの検出信号に基づいて同じ幅であるＡ３縦とＡ４横サイズの用紙を判別し、コピー動作を行う。
【０００５】
しかしながら、ユーザは、サイズラベルを見ずに、補助トレイが開いた状態でＡ４横サイズの用紙をトレイに載置する可能性がある。この場合、画像形成装置は、Ａ４用紙に対し、誤ってＡ３用紙に対するコピー動作を行うことになる。
【０００６】
後者の手差しトレイは、用紙がトレイに載置されていることを検出する用紙載置センサと、補助トレイが引出し位置にあるか否かを検出する引出しセンサを備えており、画像形成装置は、これらのセンサの検出信号に基づいて、同じ幅である例えばＡ３縦とＡ４横サイズの用紙を判別し、コピー動作を行う。
【０００７】
しかしながら、この構成では、各種用紙サイズに対応するためには、用紙載置センサを所定の位置に複数設ける必要あるが、補助トレイの位置を検出するためのセンサを備えているため、設置するセンサ数が比較的多くなる。
【０００８】
そこで、本発明は、用紙サイズを正確に検出するとともに、設置するセンサ数を減らすことのできる手差しトレイユニットを提供することを目的とする。
【０００９】
【課題を解決するための手段】
前記目的を達成するために、本発明に係る手差しトレイユニットの第１の態様は、
画像形成装置に用紙を供給する給紙装置の手差しトレイユニットにおいて、
本体トレイと、
本体トレイに対し折り畳み可能または引出し可能に装着された補助トレイと、
用紙が載置されたことを検出する第１および第２の検出手段とを備え、
第１および第２の検出手段は、給紙方向に沿って順に配置され、
補助トレイが本体ユニットに対し折り畳まれた状態または収納された状態で、開き位置または引出し位置で上流側に位置する第１の検出手段を検出状態にするとともに下流側に位置する第２の検出手段を未検出状態にすることを特徴とする。
【００１０】
かかる手差しトレイユニットでは、開き位置または引出し位置では第１および第２の検出手段は、用紙が載置されると検出状態になるため、載置する用紙の給紙方向長さが大きくなるにつれて、下流側の第２の検出手段が、続いて上流側の第１の検出手段が検出状態になる。これに対し、折り畳み位置または収納位置では第１の検出手段が常に検出状態、第２の検出状態が常に未検出状態となる。このような状態は、開き位置または引出し位置ではありえないため、第１および第２の検出手段からの信号に基づいて、補助トレイの位置を検出できる。
【００１１】
一実施形態では、補助トレイは、本体トレイに設けた凹状収納部内に折り畳み可能に構成し、第１および第２の検出手段は、補助トレイ側に設けられるとともに補助トレイの用紙載置面から出没可能な突起部分を有し、この突起部分が補助トレイ内部に押し込まれると、検出状態となるようにする。補助トレイが折り畳まれた状態で、第１の検出手段の突起部分は、本体トレイの収納部底面に接触するとともに、第２の検出手段の突起部分は、該収納部底面に形成された窪み内に収容される。
【００１２】
このように、折り畳み式の場合、比較的簡易な構成で、折り畳み位置で第１の検出手段が常に検出状態、第２の検出手段が常に未検出状態とすることができる。
【００１３】
本体トレイに、用紙が載置されたことを検出する第３の検出手段をさらに設けてもよい。この場合、折り畳み位置または収納位置においても、載置される用紙サイズを検出できる。
【００１４】
本発明に係る手差しトレイユニットの第２の態様は、
画像形成装置に用紙を供給する給紙装置の手差しトレイユニットにおいて、
本体トレイと、
本体トレイに対し折り畳み可能または引出し可能に装着された補助トレイと、
用紙が載置されたことを検出する第１および第２の検出手段とを備え、
第１および第２の検出手段は、給紙方向に直交する幅方向に沿って順に配置され、
補助トレイが本体ユニットに対し折り畳まれた状態または収納された状態で、補助トレイ外側に位置する第１の検出手段を検出状態にするとともに補助トレイ内側に位置する第２の検出手段を未検出状態にすることを特徴とする。
【００１５】
かかる手差しトレイユニットでは、開き位置または引出し位置では第１および第２の検出手段は、用紙が載置されると検出状態になるため、載置する用紙の幅方向長さが大きくなるにつれて、内側の第２の検出手段が、続いて外側の第１の検出手段が検出状態になる。これに対し、折り畳み位置または収納位置では第１の検出手段が常に検出状態、第２の検出状態が常に未検出状態となる。このような状態は、開き位置または引出し位置ではありえないため、第１および第２の検出手段からの信号に基づいて、補助トレイの位置を検出できる。
【００１６】
本発明に係る手差しトレイユニットの第３の態様は、
画像形成装置に用紙を供給する給紙装置の手差しトレイユニットにおいて、
本体トレイと、
本体トレイに対し第１の位置と第２の位置にセット可能なように、本体トレイに装着された補助トレイと、
用紙が載置されたことを検出する第１および第２の検出手段とを備え、
第１および第２の検出手段は、補助トレイが第１の位置にセットされた状態で、第２の位置で用紙を載置した場合には出力しない信号を出力するように構成されていることを特徴とする。
【００１７】
かかる手差しトレイユニットでは、補助トレイが本体ユニットに対し第１の位置にセットされた状態において、第１および第２の検出手段は、補助トレイが第２の位置で用紙を載置した場合にはありえない信号を出力するため、第１および第２の検出手段からの信号に基づいて、補助トレイの位置を検出できる。
【００１８】
【発明の実施の形態】
以下、添付図面を参照して本発明に係る実施の形態を説明する。
【００１９】
図１は、本発明に係る手差しトレイユニットの一実施形態を示す。この手差しトレイユニット２は、画像形成装置本体（図示せず）から突出配置されており、手差しトレイユニット２上にセットされた用紙は、画像形成装置本体のハウジング側壁４に設けた給紙機構６により画像形成装置内部に給紙されるようになっている。手差しトレイユニット２および給紙機構６により画像形成装置の給紙装置が構成される。なお、給紙機構６の構成は、本発明と無関係であり、したがって本願では説明を省略する。
【００２０】
本発明に係る手差しトレイユニット２は、折り畳み式で、画像形成装置本体に取り付けられた本体トレイ８と、用紙給紙方向に関して本体トレイ８の上流端部に軸１０を介して回動可能に支持された補助トレイ１２とを有する。補助トレイ１２は、本体トレイ８より幅狭に形成されている。補助トレイ１２は、図２に示すように本体トレイ８に対し折り畳まれた位置１２ａと、図１，３に示すように用紙載置面が本体トレイ８の用紙載置面と略同一平面上に位置するように開いた位置１２ｂとの間で回動可能となっている。ユーザは、手差し給紙する場合、補助トレイ１２を、折り畳み位置１２ａまたは開き位置１２ｂにセットする。なお、図１に示すように、本体トレイ８は、ハウジング側壁４の上流端部に、軸１４を介して回動するように支持され、不使用時には、手差しトレイユニット２を画像形成装置本体側に収納できるように構成してもよい。
【００２１】
図３および手差しトレイユニット２の内部構成を示す図４も参照して、本体トレイ８は、下流端部に、給紙方向に直交する幅方向に伸びた溝１５ａ，１５ｂに沿ってスライド可能な一対の用紙ガイド１６ａ，１６ｂと、手差しトレイユニット２上に載置された用紙の幅に合わせて移動させた用紙ガイド対１６ａ，１６ｂの位置に基づいて、用紙の幅方向のサイズを検出する用紙幅センサ（図示せず）とを備える。
【００２２】
用紙ガイド１６ａ，１６ｂはそれぞれ、用紙ガイドから幅方向に伸張した棒部材１８ａ，１８ｂを有し、この棒部材１８ａ，１８ｂにはラック１９ａ，１９ｂが付いている。ラック１９ａ，１９ｂは、本体ユニット８に回転自在に軸支されたピニオン２０に係合しており、その結果、用紙ガイド１６ａ，１６ｂは、給紙方向に対し対称にスライド可能となる。
【００２３】
特に図３を参照して、本体トレイ８はまた、幅方向に沿って形成された用紙ガイド通路２１の上流側に、用紙を載置する上面を形成する載置部２２と、補助トレイ１２を収納する収納部２４とを有する。載置部２２は、用紙の幅方向両端を支持するために、本体トレイ８の幅方向両端において用紙給紙方向に伸びた端部部分２６ａ，２６ｂと、用紙の幅方向中央付近を支持するために、本体トレイ８の幅方向略中央に用紙ガイド通路２１の上流端部から突出した横断面矩形状の中央部分２８とを有する。図の例では、中央部分２８の用紙給紙方向に関する長さは、端部部分２６ａ，２６ｂの半分程度に設定されている。端部部分の一方２６ａは、横断面形状がＬ字状になっているが、この理由は後述する。
【００２４】
中央部分２８内には、用紙が載置されたことを検出するための第１のセンサ（用紙載置検出手段）３０ａが所定の位置に設けてある。第１のセンサ３０ａは、用紙載置面に対し出没可能なレバー３２を有する。詳しくは、図５に示されるように、レバー３２は、本体トレイ８に固定された軸３４周りに回動可能に支持されている。レバー３２の一端３２ａは、軸３４に支持されたレバー円筒部３２ｃ上に巻回されたばね３６により、用紙載置面から突出する方向に付勢されている。第１のセンサ３０ａは、対向して配置された発光素子３８ａと受光素子３８ｂを有し、レバー一端３２ａが用紙載置面から突出した状態で、レバー他端３２ｂは、素子３８ａ，３８ｂ間に進出するようになっている。このとき、第１のセンサ３０ａは未検出状態（オフ）である。本体トレイ８上に用紙が載置され用紙の重みでレバー一端３２ａが中央部分２８の内部に押し込まれると、レバー他端３２ｂは、発光素子３８ａと受光素子３８ｂとの間から退避するようにしてある。このとき、受光素子３８ｂは発光素子３８ａから出射した光を受光し、第１のセンサ３０ａは、検出信号を画像形成装置の制御部（図示せず）に出力する。すなわち、第１のセンサ３０ａは検出状態（オン）である。
【００２５】
図３に示すように、収納部２４は、本体トレイ８の凹部をなし、開き位置１２ｂで用紙を載置する補助トレイ１２の載置面３９に対し、図２に示すように折り畳まれた状態で当接する底面４０を有する。底面４０には、載置部２２の中央部分２８の上流側の所定の位置に、窪み４２が形成されている。窪み４２を設けた理由は後述する。
【００２６】
補助トレイ１２は、開き位置１２ｂで上流端部となる部分に凹部４４を有し、図２に示すように、折り畳み位置１２ａで本体トレイ８の中央部分２８が凹部４４に収容されるようになっている。図２に示すように、補助トレイ１２は、折り畳み位置１２ａで、載置部２２の載置面と略同一平面上に位置する用紙載置面４６を有する。
【００２７】
図３などに示すように、補助トレイ１２には、開き位置１２ｂで下流側から上流側に向けて順に、第１のセンサ３０ａと同一の構成を有する第２、第３および第４のセンサ３０ｂ，３０ｃ，３０ｄが設けてある。詳しくは、第２のセンサ３０ｂは、折り畳み位置１２ａで収納部２４の窪み４２の上流側の底面４０部分と当接する位置に配置されている。第３のセンサ３０ｃは、折り畳み位置１２ａで収納部２４の窪み４２に対向する位置に配置されている。窪み４２の深さは、第３のセンサ３０ｃの載置面より突出した部分（レバー突出片３２ａ）の高さより大きく設定されている。第４のセンサ３０ｄは、折り畳み位置１２ａで載置部２２の中央部分２８の側方に位置する底面４０部分と当接する位置に配置されている。
【００２８】
なお、補助トレイ１２は、開き位置上流端部において、幅方向一側壁上に、折り畳み位置１２ａにある補助トレイ１２を把持して開き位置１２ｂにセットするための把持部４８を有する。本体トレイ８の載置部２２の端部部分２６ａに関し、横断面形状がＬ字状にしてあるのは、補助トレイ１２が折り畳みされた状態で把持部４８の周囲にユーザの手が入る程度の空間が形成されるようにするためである。
【００２９】
かかる構成を有する手差しトレイユニット２において、第１〜第４のセンサ３０ａ〜３０ｄは、補助トレイ１２が開き位置１２ｂにセットされた場合、各レバー位置に用紙が載置されるか否かに応じてオン・オフが切り換わる。一方、図６に示すように、補助トレイ１２が折り畳み位置１２ａにセットされた場合、第２および第４のセンサ３０ｂ，３０ｄのレバーの載置面から突出された部分は、収納部２４の底面４０に当接して補助トレイ１２内に押し込まれるが、第３のセンサ３０ｃのレバー突出部分は、窪み４２内に収容されるため、補助トレイ１２内に押し込まれることはない。したがって、補助トレイ１２が折り畳まれた状態では、用紙がセットされているか否かにかかわらず、上流側から下流側に向けて順に、第２のセンサ３０ｂはオン、第３のセンサ３０ｃはオフ、第４のセンサ３０ｄはオンである。第１のセンサ３０ａに関してのみ、そのレバー位置に用紙が載置されるか否かに応じてオン・オフが切り換わる。
【００３０】
補助トレイ１２を開き位置１２ｂにセットした場合、載置する用紙の給紙方向長さを大きくするにつれて、第１〜第４のセンサ３０ａ〜３０ｄは、下流側から上流側に向けて順次オフからオンに切り換わる。一方、補助トレイ１２を折り畳み位置１２ａにセットした場合、第３のセンサ３０ｃはオフにもかかわらず、第４のセンサ３０ｄはオンである。開き位置１２ｂでは、用紙をセットしても第３のセンサ３０ｃがオフ且つ第４のセンサ３０ｄがオンであることはありえない。すなわち、画像形成装置は、センサからのオン／オフ信号にもとづいて、補助トレイ１２が開き位置１２ｂにあるか折り畳み位置１２ａにあるかを判別でき、補助トレイ１２の位置を検出するための専用のセンサを省略できる。なお、仮に窪み４２を設けてない構成とすると、補助トレイ１２を折り畳み位置１２ａにセットした場合、第２および第４のセンサ３０ｂ，３０ｄとともに第３のセンサ３０ｃもオンになり、その結果、開き位置１２ｂでセンサ３０ｂ〜３０ｄが全てオンになる場合と区別できなくなる。また、仮に、折り畳み位置１２ａにおいて窪み４２に第３のセンサ３０ｃとともに第４のセンサ３０ｄのレバー突出部分が収容される構成とすると、第２のセンサ３０ｂがオン、第３および第４のセンサ３０ｃ，３０ｄがオフになり、開き位置で第２のセンサ３０ｂがオン、第３および第４のセンサ３０ｃ，３０ｄがオフの場合と区別できなくなる。
【００３１】
一例として、以下に示す仕様で各種用紙をトレイにセットしたときの第１〜第４のセンサ３０ａ〜３０ｄのオン／オフ状態を表に示す。
【００３２】
▲１▼用紙先端当接位置（図１の給紙機構６の符号５０の位置に相当）とレバー位置との給紙方向に関する距離
第１のセンサ３０ａ：１９２ｍｍ
開き位置１２ｂでの第２のセンサ３０ｂ：３１５ｍｍ
開き位置１２ｂでの第３のセンサ３０ｃ：３４０ｍｍ
開き位置１２ｂでの第４のセンサ３０ｄ：３８０ｍｍ
▲２▼開いた状態で使用可能な用紙サイズ
給紙方向長さ１４０ｍｍ〜４３１．８ｍｍ
▲３▼折り畳んだ状態で使用可能な用紙サイズ
給紙方向長さ１４０ｍｍ〜２９７ｍｍ
【００３３】
表１  折り畳み位置
2004231410.tif 000003
表においてＷは幅方向長さ、Ｌは給紙方向長さを表す。
【００３４】
表２  開き位置（定型サイズ）
2004231410.tif 000004
【００３５】
表３  開き位置（不定型サイズ）
2004231410.tif 000005
【００３６】
前述したように、本実施形態では、幅方向長さが同じでしたがって用紙幅検出センサのみでは判別できない２種類の用紙を、給紙方向に沿って配置した用紙載置センサ３０ａ〜３０ｄを用いて判別するとともに、補助トレイ１２の位置を検出する専用のセンサを設置しなくても、補助トレイ１２の位置を識別できる。例えば、補助トレイ１２を折り畳んだ状態でのＡ４横サイズの用紙と、開いた状態でのＡ３縦サイズの用紙は、用紙幅が２９７ｍｍと同一であるが、表に示すように、センサ３０ａ〜３０ｄからの出力信号が異なる（センサ３０ｃに関して、一方がオフ、他方がオンとなる。）ので、画像形成装置は、両者を識別してコピー動作を行うことができる。また、センサ３０ａ〜３０ｄを本実施例のように適切な位置に配置すれば、用紙幅センサとの組み合わせにより、定型サイズのみならず不定型サイズに関しても、用紙幅センサ、センサ３０ａ〜３０ｄからの出力信号が用紙サイズ毎に異なるため、判別が可能である。
【００３７】
以上の説明は、本発明の一実施形態にかかるもので、本発明はこれに限らず種々改変可能である。例えば、前記実施形態では、比較的多数の用紙サイズを識別するために、４つの用紙載置センサ３０ａ〜３０ｄを設置したが、補助トレイ側に、給紙方向に関して上流側と下流側に一つずつ用紙載置センサを設置する構成であれば、識別可能な用紙サイズの数は前記実施形態に比べて少なくなるが、本発明の範囲内に含まれる。すなわち、開いた状態で上流側に位置する用紙載置センサが、折り畳んだ状態で常にオンになり、開いた状態で下流側に位置するセンサが、折り畳んだ状態で常にオフになるようにすれば、補助トレイが開き位置にあるか折り畳み位置にあるかを識別できる。
【００３８】
また、前記実施形態では、給紙長さ方向に関する用紙サイズを検出するためのセンサとして、機械式の用紙載置センサ３０ａ〜３０ｄを用いたが、センサの構成は本発明を限定するものではなく、例えば、所定の位置に設けた発光素子から出射させた光を用紙で反射させて受光素子で受光させることにより、用紙が載置されたことを検出する光学式センサを用いてもよい。この場合、開き位置で上流側に位置するセンサに関しては、補助トレイを折り畳んだ状態で、発光素子から出射した光を、本体トレイ側に設けた反射部材を介して常に受光素子に入射させるようにする。他方、開き位置で下流側に位置するセンサに関しては、補助トレイを折り畳んだ状態で、発光素子から出射した光は、常に受光素子に入射させないようにする。
【００３９】
さらに、補助トレイは、本体トレイに対し、折り畳み式の代わりに引き出し式で収納できるようにしてもよい。この場合、本体トレイには、補助トレイを収納するための収納スペースを設け、補助トレイが収納スペースに収納される状態では、上流側のセンサは常にオン、下流側のセンサは常にオフになるようにし、補助トレイが引出し位置にある場合は、これらセンサを用紙載置センサとして機能させる。例えば、光学式センサを用いる場合、収納スペースの補助トレイ用紙載置面との対向面に、上流側のセンサに対応して反射部材を配設し、下流側のセンサに対応して光吸収部材（例えば黒色塗料）を配設する。なお、補助トレイが本体トレイに対し異なる２つの位置にセット可能であれば、これらの位置間の移動方法として、折り畳み式や引出し式以外でもよい。
【００４０】
加えて、用紙幅検出センサは、前記実施形態のように用紙ガイド対１６ａ，１６ｂの位置を検出することで用紙幅を検出する構成に限らず、センサ３０ａ〜３０ｄのように用紙載置面から出没可能な突起部分を有する機械式のセンサや光学式のセンサなどを本体トレイや補助トレイに配設したものを用いてもよい。この場合、給紙方向に直交する幅方向に関し補助トレイ内側と外側にそれぞれ、用紙が載置されたことを検出するためのセンサを設け、補助トレイを本体トレイに収納した状態で、内側のセンサをオフ、外側のセンサをオンとなるように構成すれば、これらのセンサを、用紙幅を検出するセンサとしてのみならず、補助トレイの位置を検出するセンサとして利用することが可能となる。補助トレイが開いた状態（または引出された状態）では、載置する用紙の幅が大きくなるにつれて、補助トレイの幅方向内側から外側に向けてセンサは順次オフからオンに切り換わるが、収納状態では、内側のセンサがオフに対し外側のセンサがオンであり、これは補助トレイが開いた状態（または引出された状態）ではありえないからである。
【００４１】
さらにまた、補助トレイの位置を検出する機能を備えた２つの用紙載置センサは、必ずしも補助トレイ側である必要はなく、一方または両方を本体トレイ側に設けても、補助トレイの位置を検出することは可能である。
【００４２】
【発明の効果】
本発明によれば、用紙が載置されたことを検出する検出手段が補助トレイの位置を検出する機能を兼ねており、設置するセンサ数を減らすことができる。
【図面の簡単な説明】
【図１】本発明に係る手差しトレイユニットの一実施形態を備えた給紙装置を示す断面図。
【図２】補助トレイが本体トレイに折り畳まれた状態における、図１の手差しトレイユニットを示す斜視図。
【図３】補助トレイが開いた状態における、図１の手差しトレイユニット示す斜視図。
【図４】補助トレイが開いた状態における、図１の手差しトレイユニットの内部を示す斜視図。
【図５】図４の用紙載置センサを示す拡大斜視図。
【図６】図２のＶＩ−ＶＩ線に沿った断面図。
【符号の説明】
２：手差しトレイユニット、８：本体トレイ、１２：補助トレイ、２２：載置部、２４：収納部、３０：センサ、３２：用紙載置検出手段の突起部分、４０：収納部底面、４２：窪み。
【図１】
2004231410.tif 000006
【図２】
2004231410.tif 000007
【図３】
2004231410.tif 000008
【図４】
2004231410.tif 000009
【図５】
2004231410.tif 000010
【図６】
2004231410.tif 000011